(57)【要約】流体を収納し、一端側に設けた注出部から内容物を絞り出すプラスチックシート袋体において、内容物を絞り出すときに溶着縁端が手に当たらず、また内容量が少なくなっても、絞り出し易い流体収納用シート袋体を提供する。重ね合わせた可撓シート（２，３）の縁辺（４ａ〜４ｄ）を接合した袋体（１）の接合縁辺（４ａ）に吊り下げ紐（７）を係着するとともに、この係着部から離れた一の接合縁辺（４ａ）に、前記吊り下げ紐（７）を係合して袋体（１）を絞る紐係合部（９ａ，９ｂ）を設ける。この結果、吊り下げ紐（７）を紐係合部（９ａ，９ｂ）に係合させることにより、接合縁辺（４ｄ）が内側に折れ、吊り下げ紐を保持した袋体（１）に湾曲側面が形成される。
2002092447.tif 000002
【特許請求の範囲】
【請求項１】
重ね合わせた可撓シートの縁辺を接合した袋体の接合縁辺に吊り下げ紐を係着するとともに、この係着部から離れた位置の接合縁辺に、前記吊り下げ紐を係合して袋体を絞ることにより袋体の所望の接合縁辺側を内側に折り曲げ変形させるための一つ又は二つ以上の紐係合部を設けたことを特徴とする可撓シート袋体
【請求項２】
紐係合部が、袋体の接合縁面に形成した紐通し孔であることを特徴とする請求項１記載の可撓シート袋体
【請求項３】
重ね合わせた可撓シートの縁辺を接合した袋体の接合縁辺に止め具を設けるとともに、この止め具から離れた位置の接合縁辺に、前記止め具に係着して袋体を絞ることにより袋体の所望の接合縁辺側を内側に折り曲げ変形させるための止め具受けを設けたことを特徴とする可撓シート袋体
【発明の詳細な説明】
技術分野
本発明はボディシャンプーなどの流体を収納し、一端側に設けた注出部から内容物を絞り出すプラスチックシート袋体に関する。
背景技術
重ね合わせた可撓性プラスチックシートの縁辺を接合し、内部に充填した流体を一端側の注出口から絞り出す袋体は、液体洗剤、飲料、液体調味料などの使い捨て容器として広く使用されている。
これらのシート袋体は、第７図のように、重ね合わせた二枚のシートの縁辺を、熱溶着などで接合してあり、内容物を絞り出すときは袋体の両側縁辺を手で掴んで加圧するので比較的硬い溶着縁端が手に当たる。このため、手が荒れたり傷ついたすることがある。
また、この種のシート袋体は内部容量が少なくなってくると、絞ったときに内容物が袋の中で四方に拡がり、注出口から出しにくくなる。
従って、本発明は内容物を絞り出すときに溶着縁端が手に当たらず、また、内容量が少なくなっても、絞り出し易い流体収納用シート袋体を提供することにある。
発明の開示
上記の目的を達成するために、本発明のシート袋体は、重ね合わせた可撓シートの縁辺を接合した袋体の接合縁辺に吊り下げ紐を係着するとともに、この係着部から離れた位置の接合縁辺に、前記吊り下げ紐を係合して袋体を絞ることにより袋体の所望の接合縁辺側を内側に折り曲げ変形させるための紐係合部を設けたことを特徴とする。
また、本発明の上記目的は、重ね合わせた可撓シートの縁辺を接合した袋体の接合縁面に止め具を設けるとともに、この止め具から離れた位置の接合縁面に、前記止め具に係着して袋体を絞ることにより袋体の所望の接合縁辺側を内側に折り曲げ変形させるための止め具受けを設けることによって達成することができる。
発明を実施するための最良の形態
以下に本発明の好ましい実施例を添付図面に基づいて説明する。
本発明のプラスチックシート袋体１は、プラスチックなどの表側シート２と裏側シート３を重ね合わせて周囲縁辺を熱溶着などで接合し、内部に流体を充填して周囲縁辺４ａ〜４ｄを密閉して使用する容器であって、シート袋体１の一端側角部には切取り線５に沿って切取ることにより開く注出路６が設けられている。
第１図乃至第３図の実施例のシート袋体１は、前記接合縁辺４ａに吊り下げ紐７を係着してあるとともに、この紐係着部８から離隔した接合縁辺位置に、紐係着部８に係着した吊り下げ紐７を先端側から通す一つまたは二つ以上の通し孔を設けてある。図の実施例では２ケ所の通し孔９ａ、９ｂを設けた場合を示している。
この構成により、紐係着部８に係着した紐７を通し孔９ａに通して絞るとシート袋体１の所望の接合縁辺（図では接合縁辺４ｄ）がシート袋体１の内側へ引き寄せられることにより袋体１の１側面が丸みをもった湾曲側面１０に形成される。従って、内容物を絞り出すときは、袋体１の湾曲側面１０を手に当てて掴むことができるとともに、袋体１の内容物が湾曲側面１０の内側へ押しやられ、注出路６に絞り出し圧力がかかり易くなる。
内容量が減少してきたら、吊り下げ紐７をさらに遠い通し孔９ｂに通して袋体１を絞ることにより、袋体１の縁辺４ｄはさらに深く絞り込まれることになり、湾曲側面１０を維持したまま袋体１はさらに小さく絞り込まれ、絞り出し圧力がかかり易くなる。
第４図乃至第６図は本発明による別のシート袋体１を示すもので、このものはシート袋体１の縁辺４ａに止め具１１を設けるとともに、この止め具１１から離隔した接合縁辺位置に１個又は２個以上の止め具受けを設けてある。図では２ケ所の止め具受け１２ａ、１２ｂを設けた場合を例示している。
止め具と止め具受けは、ホック、ボタン、ファスナーなど、折り返した接合縁辺を所定位置で結合するジョイント部材であればいかなる構造のものでもよい。
この構成により、止め具１１を任意の止め具受け１２ａ又は１２ｂに係着することにより、第１図乃至第３図実施例と同様に、縁辺４ｄは袋体１の内側に引き寄せられ、これによって、側面が湾曲側面１０になるとともに、シート袋体１の内容量が絞り込まれ、注出路６に絞り出し圧力がかかり易くなる。
尚、第４図乃至第６図の実施例は吊り下げ紐は必須のものではないが第４図のように吊り下げ紐７を設けてもよい。
図の実施例では通し孔９ａ、９ｂあるいは止め具受け１２ａ、１２ｂを２ヵ所にしているが、３ヵ所以上にすることももちろん可能である。また、紐係着部８と通し孔９ａ、９ｂ、あるいは、止め具１１と止め具受け１２ａ、１２ｂを同じ縁辺４ａに形成してあるが、紐係着部８とは別の縁辺、例えば縁辺４ｄに形成してもよい。さらに、注出路６の形成位置はシート袋体１のどちらの側に設けてもよい。
産業上の利用の可能性
本発明のシート袋体は各種流体の収納容器として広い産業分野で使用できるものであり、特に、吊り下げて、手で絞り出しながら使用するボディシャンプーなどの容器として最適である。
その場合に、本発明のシート袋体は、上記のように紐係着部と通し孔の係合、あるいは止め具と止め具受けの結合により側面が湾曲側面となり、また、容積が絞り込まれるように変形するので、使用時に手にやさしく、内容量が少なくなってきても絞り出し易いシート袋体を得ることができる。
【図面の簡単な説明】
第１図は本発明の一実施例を示すシート袋体の正面図である。
第２図は図１のシート袋体の使用説明図である。
第３図は図１のシート袋体の別の使用説明図である。
第４図は本発明の他の実施例を示すシート袋体の平面図である。
第５図は図４のシート袋体の使用説明図である。
第６図は図４のシート袋体の別の使用説明図である。
第７図は従来のシート袋体の使用説明図である。
【図１】
2002092447.tif 000003
【図２】
2002092447.tif 000004
【図３】
2002092447.tif 000005
【図４】
2002092447.tif 000006
【図５】
2002092447.tif 000007
【図６】
2002092447.tif 000008
【図７】
2002092447.tif 000009
【国際調査報告】
2002092447.tif 000010
2002092447.tif 000011
2002092447.tif 000012